(57)【要約】      （修正有）【課題】歯間清掃の際に指でつまむ棒状の把持部の両端に、それぞれ、前歯用清掃部、奥歯用清掃部が配備されていて、１本の歯間清掃具で、奥歯の歯間も、前歯の歯間も効果的に清掃できる歯間清掃具を提供する。【解決手段】長手方向に伸びる棒状の把持部２の一端及び他端にそれぞれ基端が接続されていて、先端に向かって前記長手方向に伸び、隣接する歯と歯の間の隙間に挿脱される薄板状の前歯用清掃部３と、奥歯用清掃部４とを備えている。薄板状の奥歯用清掃部４は、基端から先端に向かうにつれて、一方側の側面の側から他方側の側面の側に向かって、あるいは、他方側の側面の側から一方側の側面の側に向かって湾曲している。薄板状の前歯用清掃部３が基端から先端に向かうにつれて、一方側の長縁の側から他方側の長縁の側に向かって、あるいは、他方側の長縁の側から一方側の長縁の側に向かって湾曲している。【選択図】図１
2019072168.tif 000002
【特許請求の範囲】
【請求項１】
長手方向に伸びる棒状の把持部と、
前記把持部の一端に基端が接続されていて、先端に向かって前記長手方向に伸び、隣接する歯と歯の間の隙間に挿脱される薄板状の前歯用清掃部と、
前記把持部の他端に基端が接続されていて、先端に向かって前記長手方向に伸び、隣接する歯と歯の間の隙間に挿脱される薄板状の奥歯用清掃部とを備えていて、
前記薄板状の前歯用清掃部の一方側の側面及び／又は他方側の側面及び、前記薄板状の奥歯用清掃部の一方側の側面及び／又は他方側の側面は、それぞれ凸部及び／又は凹部を備えていて、
前記薄板状の奥歯用清掃部は、前記基端から前記先端に向かうにつれて、前記一方側の側面の側から前記他方側の側面の側に向かって、あるいは、前記他方側の側面の側から前記一方側の側面の側に向かって湾曲している
歯間清掃具。
【請求項２】
前記薄板状の前歯用清掃部の前記一方側の側面と前記他方側の側面とを区画する、前記薄板状の前歯用清掃部の前記長手方向に伸びる一方側の長縁と他方側の長縁とは、前記薄板状の前歯用清掃部が前記基端から前記先端に向かうにつれて、前記一方側の長縁の側から前記他方側の長縁の側に向かって、あるいは、前記他方側の長縁の側から前記一方側の長縁の側に向かって湾曲している
請求項１記載の歯間清掃具。
【請求項３】
前記薄板状の前歯用清掃部及び、前記薄板状の奥歯用清掃部は、前記基端から前記先端に向かうにつれて肉厚が薄くなる
請求項１又は請求項２記載の歯間清掃具。
【請求項４】
前記薄板状の前歯用清掃部の前記一方側の側面と、前記他方側の側面にそれぞれ備えられている前記凸部及び／又は前記凹部は、平坦な前記一方側の側面と、平坦な前記他方側の側面にそれぞれ形成されていて、前記長手方向に直交する方向で伸びる一乃至複数本の凹溝である
請求項１乃至請求項３のいずれか一項に記載の歯間清掃具。
【請求項５】
前記薄板状の奥歯用清掃部の前記一方側の側面と、前記他方側の側面にそれぞれ備えられている前記凸部及び／又は前記凹部は、平坦な前記一方側の側面と、平坦な前記他方側の側面にそれぞれ形成されていて、前記長手方向に直交する方向で伸びる一乃至複数本の凹溝である
請求項１乃至請求項４のいずれか一項に記載の歯間清掃具。
【発明の詳細な説明】
【技術分野】
【０００１】
この発明は歯間清掃具に関する。
【背景技術】
【０００２】
口腔内の隣接する歯の間に付着している食物残渣や歯垢を除去、清掃する歯間清掃具については、デンタルフロス、等、従来から種々の提案が行われている。
【０００３】
デンタルフロスでは指でつまむ１本の把持部の両端に、それぞれ、前歯用清掃部、奥歯用清掃部を備えているものが提案されている（特許文献１、２）。
【０００４】
また、棒状の歯間清掃具で、金属製、合成樹脂製のものなども提案されている（特許文献３）。
【先行技術文献】
【特許文献】
【０００５】
【特許文献１】特開平８−２６６３４０号公報
【特許文献２】特開平８−２８９８９８号公報
【特許文献３】特開２０１６−１９３０８５号公報
【発明の概要】
【発明が解決しようとする課題】
【０００６】
歯間清掃の際に指でつまむ棒状の把持部の両端に、それぞれ、前歯用清掃部、奥歯用清掃部が配備されていて、１本の歯間清掃具で、奥歯の歯間も、前歯の歯間も効果的に清掃できる歯間清掃具を提供する。
【課題を解決するための手段】
【０００７】
［１］
長手方向に伸びる棒状の把持部と、
前記把持部の一端に基端が接続されていて、先端に向かって前記長手方向に伸び、隣接する歯と歯の間の隙間に挿脱される薄板状の前歯用清掃部と、
前記把持部の他端に基端が接続されていて、先端に向かって前記長手方向に伸び、隣接する歯と歯の間の隙間に挿脱される薄板状の奥歯用清掃部とを備えていて、
前記薄板状の前歯用清掃部の一方側の側面及び／又は他方側の側面及び、前記薄板状の奥歯用清掃部の一方側の側面及び／又は他方側の側面は、それぞれ凸部及び／又は凹部を備えていて、
前記薄板状の奥歯用清掃部は、前記基端から前記先端に向かうにつれて、前記一方側の側面の側から前記他方側の側面の側に向かって、あるいは、前記他方側の側面の側から前記一方側の側面の側に向かって湾曲している
歯間清掃具。
【０００８】
［２］
前記薄板状の前歯用清掃部の前記一方側の側面と前記他方側の側面とを区画する、前記薄板状の前歯用清掃部の前記長手方向に伸びる一方側の長縁と他方側の長縁とは、前記薄板状の前歯用清掃部が前記基端から前記先端に向かうにつれて、前記一方側の長縁の側から前記他方側の長縁の側に向かって、あるいは、前記他方側の長縁の側から前記一方側の長縁の側に向かって湾曲している
［１］の歯間清掃具。
【０００９】
［３］
前記薄板状の前歯用清掃部及び、前記薄板状の奥歯用清掃部は、前記基端から前記先端に向かうにつれて肉厚が薄くなる
［１］又は［２］の歯間清掃具。
【００１０】
［４］
前記薄板状の前歯用清掃部の前記一方側の側面と、前記他方側の側面にそれぞれ備えられている前記凸部及び／又は前記凹部は、平坦な前記一方側の側面と、平坦な前記他方側の側面にそれぞれ形成されていて、前記長手方向に直交する方向で伸びる一乃至複数本の凹溝である
［１］乃至［３］のいずれかの歯間清掃具。
【００１１】
［５］
前記薄板状の奥歯用清掃部の前記一方側の側面と、前記他方側の側面にそれぞれ備えられている前記凸部及び／又は前記凹部は、平坦な前記一方側の側面と、平坦な前記他方側の側面にそれぞれ形成されていて、前記長手方向に直交する方向で伸びる一乃至複数本の凹溝である
［１］乃至［４］のいずれかの歯間清掃具。
【発明の効果】
【００１２】
歯間清掃の際に指でつまむ棒状の把持部の両端に、それぞれ、前歯用清掃部、奥歯用清掃部が配備されていて、１本の歯間清掃具で、奥歯の歯間も、前歯の歯間も効果的に清掃できる歯間清掃具を提供することができる。
【図面の簡単な説明】
【００１３】
【図１】（ａ）この発明の歯間清掃具の一実施形態を長手方向に直交する方向から見た一部を省略した拡大側面図、（ｂ）図１（ａ）図示の歯間清掃具を図面の奥側から図面の手前側に９０度回転させた状態の一部を省略した拡大側面図、（ｃ）図１（ｂ）図示の歯間清掃具を図面の奥側から図面の手前側に９０度回転させた状態の一部を省略した拡大側面図、（ｄ）図１（ｃ）図示の歯間清掃具を図面の奥側から図面の手前側に９０度回転させた状態の一部を省略した拡大側面図。
【図２】（ａ）図１（ａ）図示の歯間清掃具の図面中の左端側を拡大して表した図、（ｂ）図１（ｂ）図示の歯間清掃具の図面中の左端側を拡大して表した図、（ｃ）図１（ｃ）図示の歯間清掃具の図面中の左端側を拡大して表した図、（ｄ）図１（ｄ）図示の歯間清掃具の図面中の左端側を拡大して表した図。
【図３】（ａ）図１（ａ）図示の歯間清掃具の図面中の右端側を拡大して表した図、（ｂ）図１（ｂ）図示の歯間清掃具の図面中の右端側を拡大して表した図、（ｃ）図１（ｃ）図示の歯間清掃具の図面中の右端側を拡大して表した図、（ｄ）図１（ｄ）図示の歯間清掃具の図面中の右端側を拡大して表した図。
【図４】（ａ）、（ｂ）は、図１図示の歯間清掃具によって前歯の隣接する歯と歯の間の隙間の清掃が行われる状態の一例を説明する一部を省略した概略図。
【図５】（ａ）は、図１図示の歯間清掃具によって右側の奥歯の隣接する歯と歯の間の隙間の清掃が行われる状態の一例を説明する一部を省略した概略図、（ｂ）は、図１図示の歯間清掃具によって左側の奥歯の隣接する歯と歯の間の隙間の清掃が行われる状態の一例を説明する一部を省略した概略図。
【図６】この発明の歯間清掃具が使用される歯の一例として口腔内における下側の歯の状態を表す平面図。
【発明を実施するための形態】
【００１４】
この実施形態の歯間清掃具１は、長手方向（図１の左右方向）に伸びる棒状の把持部２と、前歯用清掃部３と、奥歯用清掃部４とを備えている。把持部２を指でつまんで、前歯用清掃部３で前歯の歯間、奥歯用清掃部４で奥歯の歯間を清掃するように使用される。
【００１５】
前歯用清掃部３は、薄板状で、把持部２の一端（図１における左側端）に基端が接続されていて、図１の左側である、先端５（図２）に向かって長手方向（図１の左右方向）に伸びている。薄板状の前歯用清掃部３が、図４（ａ）、（ｂ）図示のように、隣接する前歯４０と前歯４１の間の隙間に挿脱される。
【００１６】
奥歯用清掃部４は、薄板状で、把持部２の他端（図１における右側端）に基端が接続されていて、図１の右側である、先端２５（図３）に向かって長手方向（図１の左右方向）に伸びている。薄板状の奥歯用清掃部４が、図５（ａ）、（ｂ）図示のように、隣接する奥歯４２と奥歯４３の間の隙間、隣接する奥歯４４と奥歯４５の間の隙間に挿脱される。
【００１７】
図示の実施形態では、薄板状の前歯用清掃部３は、図２（ｂ）、（ｄ）図示のように、基端（図２の右端）の肉厚（図２（ｂ）、（ｄ）における上下方向の幅）が最大で、基端（図２の右端）から先端５（図２の左端）に向かうにつれて肉厚が薄くなっている。
【００１８】
また、薄板状の奥歯用清掃部４は、図３（ｂ）、（ｄ）図示のように、基端（図３の左端）の肉厚（図３（ｂ）、（ｄ）における上下方向の幅）が最大で、基端（図３の左端）から先端２５（図３の左端）に向かうにつれて肉厚が薄くなっている。
【００１９】
薄板状の前歯用清掃部２の一方側の側面６と、他方側の側面７は、それぞれ凸部及び／又は凹部を備えている。
【００２０】
図示の実施形態では、図２（ａ）、（ｃ）図示のように、平坦な一方側の側面６と、平坦な他方側の側面７に、それぞれ、長手方向に直交する方向（図２における上下方向）で伸びる３本の凹溝１０、１１、１２、凹溝１３、１４、１５が形成されていることで、薄板状の前歯用清掃部２の一方側の側面６と、他方側の側面７に、それぞれ、凹部が配備されている。
【００２１】
薄板状の奥歯用清掃部３の一方側の側面２６と、他方側の側面２７は、それぞれ凸部及び／又は凹部を備えている。
【００２２】
図示の実施形態では、図３（ｂ）、（ｄ）図示のように、平坦な一方側の側面２６と、平坦な他方側の側面２７に、それぞれ、長手方向に直交する方向（図３における上下方向）で伸びる３本の凹溝３０、３１、３２、凹溝３３、３４、３５が形成されていることで、薄板状の奥歯用清掃部３の一方側の側面２６と、他方側の側面２７に、それぞれ、凹部が配備されている。
【００２３】
薄板状の奥歯用清掃部３は、基端（図３の左端）から先端２５（図３の右端）に向かうにつれて、一方側の側面２７の側から他方側の側面２６の側に向かって湾曲している（図３（ａ）、（ｃ））。
【００２４】
薄板状の前歯用清掃部２は、図２（ａ）〜（ｄ）図示のように、長手方向（図２における左右方向）に伸びる薄板状の前歯用清掃部３の一方側の長縁８及び、他方側の長縁９によって、一方側の側面６と他方側の側面７が区画されている。
【００２５】
そして、図示の実施形態では、図２（ａ）、（ｃ）図示のように、薄板状の前歯用清掃部３が基端（図２の右端）から先端５（図２の左端）に向かうにつれて、一方側の長縁８の側から他方側の長縁９の側に向かって湾曲している。
【００２６】
歯間清掃具１は、金属アレルギーなどの問題が生じない材質で製造しておくことが望ましい。例えば、チタン製にすることができる。
【００２７】
歯間清掃具１は、その把持部２を指先でつまんで、薄板状の前歯用清掃部３、薄板状の奥歯用清掃部４を、人間の口腔内の隣接する歯と歯との間の隙間に挿脱し、隣接する歯と歯との間の隙間や、歯の隙間側部分を清掃することに使用される。
【００２８】
そこで、図１図示の全長（図１の左右方向の長さ）は１００ｍｍ程度、把持部２を円柱状とする場合の直径は１ｍｍ程度、薄板状の前歯用清掃部３の基端の肉厚（図２（ｂ）、（ｄ）における上下方向のサイズ）及び、基端の幅（図２（ａ）、（ｃ）における上下方向のサイズ）は０．８５ｍｍ〜１ｍｍ程度、薄板状の前歯用清掃部３の先端５の肉厚（図２（ｂ）、（ｄ）における上下方向のサイズ）及び、先端５の幅（図２（ａ）、（ｃ）における上下方向のサイズ）は０．６ｍｍ〜０．６２ｍｍ、薄板状の奥歯用清掃部４の基端の肉厚（図３（ａ）、（ｃ）における上下方向のサイズ）及び、基端の幅（図３（ｂ）、（ｄ）における上下方向のサイズ）は０．８５ｍｍ〜１ｍｍ程度、薄板状の奥歯用清掃部４の先端２５の肉厚（図３（ａ）、（ｃ）における上下方向のサイズ）及び、先端２５の幅（図３（ｂ）、（ｄ）における上下方向のサイズ）は０．６ｍｍ〜０．６２ｍｍ、凹溝１０〜凹溝１５、凹溝３０〜凹溝３５の深さ（図２（ｂ）、（ｄ）、図３（ａ）、（ｃ））、横幅（図２（ａ）、（ｃ）、図３（ｂ）、（ｄ））は０．１ｍｍ程度の極薄で、微小なサイズにすることが望ましい。
【００２９】
図２、図４を参照して、この実施形態の歯間清掃具１で、図６に図示している、隣接する前歯４０と前歯４１の間の隙間を清掃する状態の一例を説明する。
【００３０】
歯間清掃具１の把持部２を指先でつまんで、図２（ａ）、（ｂ）図示の状態の前歯用清掃部３を、隣接する前歯４０と前歯４１の間の隙間に、歯の先端側から歯茎の側に向けて挿入した状態が図４（ａ）図示の状態である。
【００３１】
歯間清掃具１の把持部２を指先で持って、図２（ｃ）、（ｄ）図示の状態の前歯用清掃部３を、隣接する前歯４０と前歯４１の間の隙間に歯の先端側から歯茎の側に向けて挿入した状態が図４（ｂ）図示の状態である。
【００３２】
図４（ｂ）図示のようにして使用することもできるが、この実施形態では、図２（ａ）図示のように、薄板状の前歯用清掃部３は、基端（図２の右端）から先端５（図２の左端）に向かうにつれて、一方側の長縁８の側から他方側の長縁９の側に向かって湾曲している。
【００３３】
そこで、歯間清掃具１の把持部２を指先でつまんで、図２（ａ）、（ｂ）図示の状態の前歯用清掃部３を、隣接する前歯４０と前歯４１の間の隙間に歯の先端側から歯茎の側に向けて挿入した図４（ａ）図示の状態で、前歯４０と前歯４１の間の隙間を清掃するようにした方が、前歯４０、４１の歯茎に近い部分を清掃する上で有利である。
【００３４】
なお、前歯用清掃部３は、そもそも、前歯４０と前歯４１の間の隙間に挿脱される薄板状であるので、歯間清掃具１の把持部２を指先でつまんで、図２（ａ）、（ｂ）図示の状態の前歯用清掃部３を、先端５を先頭にして、矢印４６で示すように、隣接する前歯４０と前歯４１の間の隙間に挿入して図４（ａ）図示の状態にすることもできる。
【００３５】
図４（ａ）図示の状態から、歯間清掃具１の把持部２を指先でつまんで、前歯用清掃部３を、矢印４６、４７で示す方向に移動させることで隣接する歯４０と歯４１との間の隙間を清掃する。
【００３６】
前歯用清掃部３の平坦な一方側の側面６と、平坦な他方側の側面７にはそれぞれ上下方向で伸びる３本の凹溝１０、１１、１２、凹溝１３、１４、１５が形成されているので、前歯４０と前歯４１の間の隙間に存在している汚れや、前歯４０、前歯４１の隙間側に付着している歯垢などを効果的に取り除くことができる。
【００３７】
そこで、薄板状の前歯用清掃部３の一方側の側面６、または、薄板状の前歯用清掃部３の他方側の側面７、あるいは、薄板状の前歯用清掃部３の一方側の側面６と他方側の側面７との双方に備えられている凸部または、凹部あるいは、凸部と凹部との双方は、図２図示の実施形態に限られず、凹部となる穴を１個乃至複数個、前歯用清掃部３の平坦な一方側の側面６または、前歯用清掃部３の平坦な他方側の側面７あるいは、前歯用清掃部３の平坦な一方側の側面６と平坦な他方側の側面７との双方に形成しておくことでもよい。
【００３８】
また、前歯用清掃部３の平坦な一方側の側面６、または、薄板状の前歯用清掃部３の他方側の側面７、あるいは、薄板状の前歯用清掃部３の一方側の側面６と他方側の側面７との双方に、それぞれ上下方向で伸びる１本乃至複数本の凸条を形成しておくことや、前歯用清掃部３の平坦な一方側の側面６、または、薄板状の前歯用清掃部３の他方側の側面７、あるいは、薄板状の前歯用清掃部３の一方側の側面６と他方側の側面７との双方に、それぞれ凸部を１個乃至複数個形成しておくことでもよい。
【００３９】
上述した図示の実施形態では、平坦な一方側の側面６と、平坦な他方側の側面７に、それぞれ、形成されている凹溝１０〜１５は、いずれも、長手方向（図１、図２の左右方向）に直交する方向（図２における上下方向）で伸びているが、この方向に限定されるものではない。
【００４０】
ただし、図４（ａ）、（ｂ）図示の状態から、歯間清掃具１の把持部２を指先でつまんで、前歯用清掃部３を、矢印４６、４７で示す方向に移動させて歯間清掃を行うことから、凹溝１０〜１５が伸びる方向は、少なくとも、長手方向（図１、図２の左右方向）に対して所定の角度で交差する配置になっていることが望ましい。
【００４１】
上述したように、前歯４０と前歯４１の間の隙間を清掃する際には、図２（ａ）、（ｂ）、図４（ａ）の挿入形式、図２（ｃ）、（ｄ）、図４（ｂ）の挿入形式のいずれでも可能であるが、図２（ａ）、（ｂ）、図４（ａ）の挿入形式で清掃を行った方が、図２（ａ）図示のように先端５の側が下側に向かって湾曲しているので、前歯４０、４１の歯茎に近い部分を清掃する上で有利である。
【００４２】
そこで、この実施形態で説明したように、長手方向（図２における左右方向）に伸びる薄板状の前歯用清掃部３の一方側の長縁８及び、他方側の長縁９によって、一方側の側面６と他方側の側面７が区画されている薄板状の前歯用清掃部２は、基端（図２の右端）から先端５（図２の左端）に向かうにつれて、少なくとも、一方側の長縁の側から他方側の長縁の側に向かって湾曲している構造になっていることが望ましい。
【００４３】
図２（ａ）〜（ｄ）図示の実施形態では、基端（図２の右端）から先端５（図２の左端）に向かうにつれて、一方側の長縁８の側から他方側の長縁９の側に向かって湾曲している構造にしているが、基端（図２の右端）から先端５（図２の左端）に向かうにつれて、他方側の長縁９の側から一方側の長縁８の側に向かって湾曲している構造にしてもよい。
【００４４】
図３、図５を参照して、この実施形態の歯間清掃具１で、図６に図示している、隣接する奥歯４２と奥歯４３の間の隙間、隣接する奥歯４４と奥歯４５の間の隙間を清掃する状態の一例を説明する。
【００４５】
歯間清掃具１の把持部２を指先でつまんで、図３（ｃ）、（ｄ）図示の状態の奥歯用清掃部４を、口腔内の右側の隣接する奥歯４２と奥歯４３の間の隙間に、歯の先端側から歯茎の側に向けて挿入した状態が図５（ａ）図示の状態である。図５（ａ）で、奥歯４３の方が奥歯４２より奥側の歯になる。
【００４６】
歯間清掃具１の把持部２を指先でつまんで、図３（ａ）、（ｂ）図示の状態の奥歯用清掃部４を、口腔内の左側の隣接する奥歯４４と奥歯４５の間の隙間に歯の先端側から歯茎の側に向けて挿入した状態が図５（ｂ）図示の状態である。図５（ｂ）で、奥歯４５の方が奥歯４４より奥側の歯になる。
【００４７】
なお、奥歯用清掃部４は、そもそも、奥歯４２と奥歯４３の間の隙間、奥歯４４と奥歯４５の間の隙間に挿脱される薄板状であるので、歯間清掃具１の把持部２を指先でつまんで、図３（ｃ）、（ｄ）図示の状態の奥歯用清掃部４を、先端２５を先頭にして、矢印４８で示すように、右側の隣接する奥歯４２と奥歯４３の間の隙間に挿入して図５（ａ）図示の状態にし、歯間清掃具１の把持部２を指先でつまんで、図３（ａ）、（ｂ）図示の状態の奥歯用清掃部４を、先端２５を先頭にして、矢印４８で示すように、左側の隣接する奥歯４４と奥歯４５の間の隙間に挿入して図５（ｂ）図示の状態にすることもできる。
【００４８】
図５（ａ）、図５（ｂ）図示の状態から、歯間清掃具１の把持部２を指先でつまんで、奥歯用清掃部４を、矢印４８、４９で示す方向に移動させることで隣接する歯と歯の間の隙間を清掃する。
【００４９】
奥歯用清掃部４の平坦な一方側の側面２６と、平坦な他方側の側面２７にはそれぞれ上下方向で伸びる３本の凹溝３０、３１、３２、凹溝３３、３４、３５が形成されているので、奥歯４２と奥歯４３の間の隙間、奥歯４４と奥歯４５の間の隙間に存在している汚れや、奥歯４２、４３、４４、４５の隙間側に付着している歯垢などを簡単に取り除くことができる。
【００５０】
そこで、薄板状の奥歯用清掃部４の一方側の側面２６、または、薄板状の奥歯用清掃部４の他方側の側面２７、あるいは、薄板状の奥歯用清掃部４の一方側の側面２６と他方側の側面２７とにそれぞれ備えられている凸部または、凹部あるいは、凸部と凹部との双方は、図３図示の実施形態に限られず、凹部となる穴を１個乃至複数個、奥歯用清掃部４の平坦な一方側の側面２６、または、薄板状の奥歯用清掃部４の他方側の側面２７、あるいは、薄板状の奥歯用清掃部４の一方側の側面２６と他方側の側面２７とに形成しておくことでもよい。
【００５１】
また、奥歯用清掃部４の平坦な一方側の側面２６、または、薄板状の奥歯用清掃部４の他方側の側面２７、あるいは、薄板状の奥歯用清掃部４の一方側の側面２６と他方側の側面２７とにそれぞれ上下方向で伸びる１本乃至複数本の凸条を形成しておくことや、奥歯用清掃部４の平坦な一方側の側面２６、または、薄板状の奥歯用清掃部４の他方側の側面２７、あるいは、薄板状の奥歯用清掃部４の一方側の側面２６と他方側の側面２７とにそれぞれ凹部となる穴を１個乃至複数個形成しておくことでもよい。
【００５２】
上述した図示の実施形態では、平坦な一方側の側面２６と、平坦な他方側の側面２７に、それぞれ、形成されている凹溝３０〜３５は、いずれも、長手方向（図１、図３の左右方向）に直交する方向（図３における上下方向）で伸びているが、この方向に限定されるものではなく。
【００５３】
ただし、図５（ａ）、（ｂ）図示の状態から、歯間清掃具１の把持部２を指先でつまんで、奥歯用清掃部４を、矢印４８、４９で示す方向に移動させて歯間清掃を行うことから、凹溝３０〜３５が伸びる方向は、少なくとも、長手方向（図１、図３の左右方向）に対して所定の角度で交差する配置になっていることが望ましい。
【００５４】
薄板状の奥歯用清掃部３は、基端（図３の左端）から先端２５（図３の右端）に向かうにつれて、一方側の側面２７の側から他方側の側面２６の側に向かって湾曲している（図３（ａ）、（ｃ））。
【００５５】
そこで、口腔内の右側の隣接する奥歯４２と奥歯４３の間の隙間を清掃するときには、歯間清掃具１の把持部２を指先でつまんで、図３（ｃ）、（ｄ）図示の状態の奥歯用清掃部４を、口腔内の右側の隣接する奥歯４２と奥歯４３の間の隙間に矢印４８、４９方向に挿脱して歯間清掃を行うと効果的である（図５（ａ））。
【００５６】
一方、口腔内の左側の隣接する奥歯４４と奥歯４５の間の隙間を清掃するときには、歯間清掃具１の把持部２を指先でつまんで、図３（ａ）、（ｂ）図示の状態の奥歯用清掃部４を、口腔内の左側の隣接する奥歯４４と奥歯４５の間の隙間に矢印４８、４９方向に挿脱して歯間清掃を行うと効果的である（図５（ｂ））。
【００５７】
このように、この実施形態で説明したように、薄板状の奥歯用清掃部３は、基端（図３の左端）から先端２５（図３の右端）に向かうにつれて、一方側の側面の側から他方側の側面の側に向かって湾曲している構造になっていることが望ましい。
【００５８】
そこで、図３（ａ）〜（ｄ）図示の実施形態では、薄板状の奥歯用清掃部３は、基端（図３の左端）から先端２５（図３の右端）に向かうにつれて、一方側の側面２７の側から他方側の側面２６の側に向かって湾曲している（図３（ａ）、（ｃ））構造にしているが、基端（図３の左端）から先端２５（図３の右端）に向かうにつれて、他方側の側面２６の側から一方側の側面２７の側に向かって湾曲している構造にすることもできる。
【００５９】
以上に説明したように、この実施形態の歯間清掃具１は、長手方向に伸びる棒状の把持部２と、把持部２の一端に基端が接続されていて、先端５に向かって長手方向に伸びる薄板状の前歯用清掃部３と、把持部２の他端に基端が接続されていて、先端２５に向かって長手方向に伸びる薄板状の奥歯用清掃部４とを備えている。
【００６０】
薄板状の前歯用清掃部３、薄板状の奥歯用清掃部４は、隣接する前歯４０と前歯４１の間の隙間、隣接する奥歯４２、４３、奥歯４４、４５の間の隙間に挿脱される際に、薄板状の前歯用清掃部３の一方側の側面６と他方側の側面７とを隣接する前歯４０、前歯４１の隙間側の部分に対向させ、薄板状の奥歯用清掃部４の一方側の側面２６と他方側の側面２７とを隣接する奥歯４２、４３、奥歯４４、４５の隙間側の部分に対向させる。
【００６１】
この薄板状の前歯用清掃部３の一方側の側面６及び／又は他方側の側面７及び、薄板状の奥歯用清掃部４の一方側の側面２６及び／又は他方側の側面２７が、それぞれ凸部及び／又は凹部を備えていることにより、効果的に歯間清掃を行うことができる。
【００６２】
薄板状の奥歯用清掃部４は、基端から先端２５に向かうにつれて、一方側の側面２７の側から他方側の側面２６の側に向かって湾曲している。これによって、口腔内の右側における隣接する奥歯の間の歯間清掃も、口腔内の左側における隣接する奥歯の間の歯間清掃も効果的に行うことができる。
【００６３】
薄板状の前歯用清掃部３は、長手方向に伸びる一方側の長縁８と他方側の長縁９とによって、一方側の側面６と他方側の側面７とが区画されており、薄板状の前歯用清掃部３が基端から先端５に向かうにつれて、一方側の長縁８の側から他方側の長縁９の側に向かって湾曲している。これによって、隣接する前歯の間の歯間清掃を行う際、前歯の内側に挿入されている、薄板状の前歯用清掃部３の先端５を口腔内において下側を向かせることができ、前歯の歯間の清掃を効果的に行うことができる。
【００６４】
以上、添付図面を参照して本発明の好ましい実施形態を説明したが、本発明は上述した実施形態に限られることなく、特許請求の範囲の記載から把握される技術的範囲において種々に変更可能である。
【符号の説明】
【００６５】
１  歯間清掃具
２  把持部
３  前歯用清掃部
４  奥歯用清掃部
５  前歯用清掃部の先端
６  前歯用清掃部の一方側の側面
７  前歯用清掃部の他方側の側面
８  前歯用清掃部の一方側の側面と他方側の側面とを区画する一方側の長縁
９  前歯用清掃部の一方側の側面と他方側の側面とを区画する他方側の長縁
１０、１１、１２、１３、１４、１５  凹溝
２５  奥歯用清掃部の先端
２６  奥歯用清掃部の一方側の側面
２７  奥歯用清掃部の他方側の側面
３０、３１、３２、３３、３４、３５  凹溝
４０、４１  隣接する前歯
４２、４３  口腔内の右側で隣接する奥歯
４４、４５  口腔内の左側で隣接する奥歯
【図１】
2019072168.tif 000003
【図２】
2019072168.tif 000004
【図３】
2019072168.tif 000005
【図４】
2019072168.tif 000006
【図５】
2019072168.tif 000007
【図６】
2019072168.tif 000008
【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
長手方向に伸びる棒状の把持部と、
前記把持部の一端に基端が接続されていて、先端に向かって前記長手方向に伸び、隣接する歯と歯の間の隙間に挿脱される薄板状の前歯用清掃部と、
前記把持部の他端に基端が接続されていて、先端に向かって前記長手方向に伸び、隣接する歯と歯の間の隙間に挿脱される薄板状の奥歯用清掃部とを備えていて、
前記薄板状の前歯用清掃部の一方側の側面及び／又は他方側の側面及び、前記薄板状の奥歯用清掃部の一方側の側面及び／又は他方側の側面は、それぞれ凸部及び／又は凹部を備えていて、
前記薄板状の奥歯用清掃部は、前記基端から前記先端に向かうにつれて、前記一方側の側面の側から前記他方側の側面の側に向かって、あるいは、前記他方側の側面の側から前記一方側の側面の側に向かって湾曲し、
前記薄板状の前歯用清掃部は、前記一方側の側面と前記他方側の側面とを区画する、前記薄板状の前歯用清掃部の前記長手方向に伸びる一方側の長縁と他方側の長縁とが、前記一方側の長縁と他方側の長縁との間の間隔を保ったまま、前記薄板状の前歯用清掃部が前記基端から前記先端に向かうにつれて、前記一方側の長縁の側から前記他方側の長縁の側に向かって、あるいは、前記他方側の長縁の側から前記一方側の長縁の側に向かって湾曲している
歯間清掃具。
【請求項２】
前記薄板状の前歯用清掃部及び、前記薄板状の奥歯用清掃部は、前記基端から前記先端に向かうにつれて肉厚が薄くなる
請求項１記載の歯間清掃具。
【請求項３】
前記薄板状の前歯用清掃部の前記一方側の側面と、前記他方側の側面にそれぞれ備えられている前記凸部及び／又は前記凹部は、平坦な前記一方側の側面と平坦な前記他方側の側面にそれぞれ形成されていて前記長手方向に直交する方向で伸びる一乃至複数本の凸条又は平坦な前記一方側の側面と平坦な前記他方側の側面にそれぞれ形成されている一乃至複数個の凸部及び／又は平坦な前記一方側の側面と平坦な前記他方側の側面にそれぞれ形成されていて前記長手方向に直交する方向で伸びる一乃至複数本の凹溝又は平坦な前記一方側の側面と平坦な前記他方側の側面にそれぞれ形成されている一乃至複数個の凹部である
請求項１又は２記載の歯間清掃具。
【請求項４】
前記薄板状の奥歯用清掃部の前記一方側の側面と、前記他方側の側面にそれぞれ備えられている前記凸部及び／又は前記凹部は、平坦な前記一方側の側面と平坦な前記他方側の側面にそれぞれ形成されていて前記長手方向に直交する方向で伸びる一乃至複数本の凸条又は平坦な前記一方側の側面と平坦な前記他方側の側面にそれぞれ形成されている一乃至複数個の凸部及び／又は平坦な前記一方側の側面と平坦な前記他方側の側面にそれぞれ形成されていて前記長手方向に直交する方向で伸びる一乃至複数本の凹溝又は平坦な前記一方側の側面と平坦な前記他方側の側面にそれぞれ形成されている一乃至複数個の凹部である
請求項１乃至請求項３のいずれか一項に記載の歯間清掃具。
【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
チタン製の歯間清掃具であって、
長手方向に伸びる棒状の把持部と、
前記把持部の一端に基端が接続されていて、先端に向かって前記長手方向に伸び、隣接する歯と歯の間の隙間に挿脱される薄板状の前歯用清掃部と、
前記把持部の他端に基端が接続されていて、先端に向かって前記長手方向に伸び、隣接する歯と歯の間の隙間に挿脱される薄板状の奥歯用清掃部とを備えていて、
前記薄板状の前歯用清掃部の一方側の側面及び／又は他方側の側面及び、前記薄板状の奥歯用清掃部の一方側の側面及び／又は他方側の側面は、それぞれ凸部及び／又は凹部を備えていて、
前記薄板状の奥歯用清掃部は、前記基端から前記先端に向かうにつれて、前記一方側の側面の側から前記他方側の側面の側に向かって、あるいは、前記他方側の側面の側から前記一方側の側面の側に向かって湾曲し、奥歯清掃の際に当該湾曲状態を維持したまま隣接する奥歯と奥歯との間に挿入され、
前記薄板状の前歯用清掃部は、前記一方側の側面と前記他方側の側面とを区画する、前記薄板状の前歯用清掃部の前記長手方向に伸びる一方側の長縁と他方側の長縁とが、前記一方側の長縁と他方側の長縁との間の間隔を保ったまま、前記薄板状の前歯用清掃部が前記基端から前記先端に向かうにつれて、前記一方側の長縁の側から前記他方側の長縁の側に向かって、あるいは、前記他方側の長縁の側から前記一方側の長縁の側に向かって湾曲し、前歯清掃の際に当該湾曲状態を維持したまま隣接する前歯と前歯との間に挿入される
歯間清掃具。